(57)【要約】【課題】経時変化を加味したコーディネートを確認する。【解決手段】  情報処理装置１は、服飾品データ取得手段６３が取得した服飾品データに含まれている情報と、経時服飾品変化情報データベース７１に格納されている経時服飾品変化情報とに基づき、服飾品経時変化処理手段６５によって、所定の期間経過後の上記服飾品データを生成し、経時変化後の上記服飾品データを表示制御手段６１によって、表示部２に画像として表示させる。【選択図】図１
2013200833.tif 000002
【特許請求の範囲】
【請求項１】
服飾品のコーディネートに関する情報処理装置であって、
コーディネートした状態の服飾品の画像を表示する表示部と、
コーディネート中の服飾品の画像を含む服飾品データを取得する服飾品データ取得手段と、
時間の経過に応じた服飾品の構成要素の変化情報を、服飾品データ毎に対応付けて経時服飾品変化情報として格納した経時服飾品変化情報データベースと、
上記服飾品データ取得手段によって取得された上記服飾品データに対し、上記経時服飾品変化情報データベースから読み取った、当該服飾品データに対応付けられた経時服飾品変化情報を用いて経時変化処理を施した経時変化後の服飾品データを生成する服飾品経時変化処理手段と、
上記服飾品経時変化処理手段によって生成された上記経時変化後の服飾品データを画像として上記表示部に表示させる表示制御手段と、
を備えることを特徴とする情報処理装置。
【請求項２】
経時変化させる期間を指定する経過時間指定手段を備え、
上記服飾品経時変化処理手段は、上記服飾品データ取得手段によって取得された上記服飾品データに対して、上記経時服飾品変化情報データベースから読み取った、当該服飾品データに対応付けられ、上記経過時間指定手段によって指定された経過時間に対応する経時服飾品変化情報を用いて経時変化処理を施した、経時変化後の上記服飾品データを生成する
ことを特徴とする、請求項１に記載の情報処理装置。
【請求項３】
上記服飾品データが、
上記服飾品の画像の他に、識別ＩＤ、服飾品カテゴリ、サイズ、生地の素材、製造日、および対象性別のうち１つ以上を含んでいる
ことを特徴とする、請求項１または２に記載の情報処理装置。
【請求項４】
コーディネート対象の人物の画像を含む人物データを取得する人物データ取得手段と、
上記人物データ取得手段によって取得された人物データに含まれる上記人物の画像と、上記服飾品経時変化処理手段によって生成された上記経時変化後の服飾品データに含まれる上記服飾品の画像とを合成した合成画像を生成する画像合成処理手段と、
を備えることを特徴とする、請求項１から３のいずれか１項に記載の情報処理装置。
【請求項５】
上記人物データ取得手段によって取得される人物データに含まれる人物の画像に、背景画像が付加されていることを特徴とする、請求項４に記載の情報処理装置。
【請求項６】
上記人物データが、
上記人物の画像の他に、年齢、性別、身長、体重、および足のサイズのうち１つ以上を含んでいること
を特徴とする、請求項４または５に記載の情報処理装置。
【請求項７】
時間の経過に応じた人物の体型の変化情報を、人物データごとに対応付けて経時人物変化情報として格納した経時人物変化情報データベースと、
上記人物データ取得手段によって取得された上記人物データに対し、上記経時人物変化情報データベースから読み取った、当該人物データに対応付けられた経時人物変化情報を用いて経時変化処理を施した経時変化後の人物データを生成する人物経時変化処理手段と、
を備え、
上記画像合成処理手段は、
上記人物経時変化処理手段によって生成された経時変化後の人物の画像と、上記服飾品経時変化処理手段によって生成された経時変化後の服飾品の画像とを合成した経時変化後の合成画像を生成する
ことを特徴とする、請求項４から６のいずれか１項に記載の情報処理装置。
【請求項８】
上記人物データに、身長、体重の少なくとも一方を含む身体情報が含まれており、
人物の体型を、上記身体情報と対応付けて人物体型情報として格納した人物体型情報データベースと、
上記人物データ取得手段によって取得された上記人物データに含まれる身体情報に対応付けられた人物体型情報を、上記人物体型情報データベースから読み取り、読み取った人物体型情報を用いて上記人物データに含まれる画像を補正する人物画像補正手段と、
を備えることを特徴とする、請求項４から７のいずれか１項に記載の情報処理装置。
【請求項９】
上記表示制御手段は、
経時変化前の上記服飾品の画像と、経時変化後の上記服飾品の画像とを同時に上記表示部に表示させる
ことを特徴とする、請求項１から３のいずれか１項に記載の情報処理装置。
【請求項１０】
上記表示制御手段は、
異なる角度から見た複数の上記服飾品の画像を切り替えて上記表示部に表示させる
ことを特徴とする、請求項１から３のいずれか１項に記載の情報処理装置。
【請求項１１】
上記表示制御手段は、
異なる角度から見た複数の上記服飾品の画像を同時に上記表示部に表示させる
ことを特徴とする、請求項１から３のいずれか１項に記載の情報処理装置。
【請求項１２】
上記表示制御手段は、
経時変化前の上記合成画像と、経時変化後の上記合成画像とを同時に上記表示部に表示させる
ことを特徴とする、請求項４から８のいずれか１項に記載の情報処理装置。
【請求項１３】
上記表示制御手段は、
異なる角度から見た複数の上記合成画像を切り替えて上記表示部に表示させる
ことを特徴とする、請求項４から８のいずれか１項に記載の情報処理装置。
【請求項１４】
上記表示制御手段は、
異なる角度から見た複数の上記合成画像を同時に上記表示部に表示させる
ことを特徴とする、請求項４から８のいずれか１項に記載の情報処理装置。
【請求項１５】
服飾品のコーディネートに関し、コーディネートした状態の服飾品の画像を表示する表示部を備える情報処理装置の制御方法であって、
コーディネート中の服飾品の画像を含む服飾品データを取得する服飾品データ取得ステップと、
上記服飾品データ取得ステップにおいて取得した上記服飾品データに対し、時間の経過に応じた服飾品の構成要素の変化情報を、服飾品データ毎に対応付けて経時服飾品変化情報として格納した経時服飾品変化情報データベースから読み取った、当該服飾品データに対応付けられた経時服飾品変化情報を用いて経時変化処理を施した経時変化後の服飾品データを生成する服飾品経時変化処理ステップと、
上記服飾品経時変化処理ステップにおいて生成した上記経時変化後の服飾品データを画像として上記表示部に表示させる表示制御ステップと、
を含むことを特徴とする情報処理装置の制御方法。
【請求項１６】
請求項１から１４のいずれか１項に記載の情報処理装置の上記各手段としてコンピュータを機能させるための制御プログラム。
【請求項１７】
請求項１６に記載の制御プログラムを記録したコンピュータ読み取り可能な記録媒体。
【発明の詳細な説明】
【技術分野】
【０００１】
本発明は、コーディネートに関する情報処理装置、情報処理装置の制御方法、制御プログラム、制御プログラムを記録したコンピュータ読み取り可能な記録媒体に関するものである。
【背景技術】
【０００２】
今日、服飾品の購入の検討に際し、服飾品の画像を組み合わせてコーディネートした試着画像を表示する試着画像表示装置が多く開示されている。
【０００３】
特許文献１には、ユーザが購入済みのアイテム画像を登録するクローゼットＤＢと通信可能なユーザ所有の携帯端末と、店舗で販売する商品の画像が登録されている商品ＤＢと通信可能な店舗端末との間で通信して、クローゼットＤＢのアイテムと、商品ＤＢの商品を組み合わせたコーディネート画像を確認できるコーディネートシステムが記載されている。これにより、ユーザは、自宅のクローゼットに所有しているアイテムと、購入を検討している商品とのコーディネートを、試着の手間を省いて短時間で多数確認することができる。
【０００４】
また、特許文献２には、衣類情報記憶部にユーザが登録した衣類データからコーディネートを作成・提示し、該コーディネートに含まれる衣類についてのユーザの評価情報を、該衣類データに紐付けて登録し、次回以降はこの評価情報を参照してコーディネートを作成する、コーディネート画像作成装置が記載されている。このコーディネート画像作成装置では、ユーザが使えば使うほどユーザの評価情報を蓄積できるので、ユーザの好みに合ったコーディネートを作成することができる。
【先行技術文献】
【特許文献】
【０００５】
【特許文献１】特開２０１１−１８１１５号公報（２０１１年１月２７日公開）
【特許文献２】特開２０１１−８１４８６号公報（２０１１年４月２１日公開）
【発明の概要】
【発明が解決しようとする課題】
【０００６】
しかしながら、服飾品というものは、時間の経過によって次第に購入当時と異なる外観へと変化していくものである。例えば、洗濯による色落ちや生地の縮み、あるいは身に付けて活動することによる伸びなど、着用すればするほどに色や形状は購入当時と異なっていく。長い期間着用することによる色落ちも楽しめるジーンズの購入などに際しては、こうした経時的な変化も加味して購入を検討できることが好ましい。
【０００７】
特許文献１および特許文献２では、いずれも購入を検討している時点での服飾品データを用いてコーディネートを行うものであり、経時的な色落ちや形状の変化を加味したコーディネートを確認することはできない。
【０００８】
本発明は、上記事情に鑑みてなされたものであり、その目的は、ユーザが購入を検討している服飾品について、経時変化を加味したコーディネートを確認することができる技術を提供することにある。
【課題を解決するための手段】
【０００９】
本発明に係る情報処理装置は、服飾品のコーディネートに関し、コーディネートした状態の服飾品の画像を表示する表示部と、コーディネート中の服飾品の画像を含む服飾品データを取得する服飾品データ取得手段と、時間の経過に応じた服飾品の構成要素の変化情報を、服飾品データ毎に対応付けて経時服飾品変化情報として格納した経時服飾品変化情報データベースと、上記服飾品データ取得手段によって取得された上記服飾品データに対し、上記経時服飾品変化情報データベースから読み取った、当該服飾品データに対応付けられた経時服飾品変化情報を用いて経時変化処理を施した経時変化後の服飾品データを生成する服飾品経時変化処理手段と、上記服飾品経時変化処理手段によって生成された上記経時変化後の服飾品データを画像として上記表示部に表示させる表示制御手段と、を備えることを特徴としている。
【００１０】
また、本発明に係る情報処理装置の制御方法は、服飾品のコーディネートに関し、コーディネートした状態の服飾品の画像を表示する表示部を備える情報処理装置の制御方法であって、コーディネート中の服飾品の画像を含む服飾品データを取得する服飾品データ取得ステップと、上記服飾品データ取得ステップにおいて取得した上記服飾品データに対し、時間の経過に応じた服飾品の構成要素の変化情報を、服飾品データ毎に対応付けて経時服飾品変化情報として格納した経時服飾品変化情報データベースから読み取った、当該服飾品データに対応付けられた経時服飾品変化情報を用いて経時変化処理を施した経時変化後の服飾品データを生成する服飾品経時変化処理ステップと、上記経時変化処理ステップにおいて生成した上記経時変化後の服飾品データを画像として上記表示部に表示させる表示制御ステップと、を含むことを特徴としている。
【００１１】
上記構成によれば、取得したコーディネート中の服飾品の画像を含む服飾品データに対して、当該服飾品データに対応付けられた経時服飾品変化情報を用いて、経時変化処理を施した経時変化後の服飾品データを生成し、経時変化後の服飾品データを画像として表示部に表示させることで、ユーザは、コーディネートした状態の服飾品の現時点の状態に加えて、時間経過後の状態を確認することができる。
【００１２】
これにより、ユーザは、購入を検討している服飾品について、経時変化を加味したコーディネートを確認することできる。
【００１３】
上記情報処理装置はさらに、経時変化させる期間を指定する経過時間指定手段を備え、上記服飾品経時変化処理手段は、上記服飾品データ取得手段によって取得された上記服飾品データに対して、上記経時服飾品変化情報データベースから読み取った、当該服飾品データに対応付けられ、上記経過時間指定手段によって指定された経過時間に対応する経時服飾品変化情報を用いて経時変化処理を施した、経時変化後の上記服飾品データを生成することが好ましい。
【００１４】
上記構成によれば、取得したコーディネート中の服飾品の画像を含む服飾品データに対して、当該服飾品データに対応付けられ、上記指定された経過時間に対応する経時服飾品変化情報を用いて経時変化処理を施した経時変化後の上記服飾品データを生成することで、ユーザが指定する経過時間後のコーディネートした状態の服飾品の状態を確認することができる。
【００１５】
これにより、ユーザは、購入を検討している服飾品について、所望の経過時間に応じた経時変化を加味したコーディネートを確認することができる。
【００１６】
上記服飾品データは、上記服飾品の画像の他に、識別ＩＤ、服飾品カテゴリ、サイズ、生地の素材、製造日、および対象性別のうち１つ以上を含んでいることが好ましい。
【００１７】
上記構成によれば、服飾品データに、上記服飾品の画像の他に、識別ＩＤ、服飾品カテゴリ、サイズ、生地の素材、製造日、および対象性別のうち１つ以上が含まれていることで、上記経時服飾品変化情報データベースに格納されている経時服飾品変化情報には、服飾品の経時変化をより正確に予測するための、上記の各パラメータのうち少なくとも１つのパラメータが対応付けられることになる。これにより、上記服飾品経時変化処理手段は、上記パラメータに対応付けられた経時服飾品変化情報を用いることにより、当該服飾品に関してより的確かつ詳細な経時変化処理を施した経時変化後の服飾品データを生成することができる。
【００１８】
従って、ユーザは購入を検討している服飾品について、より的確な経時変化を加味したコーディネートを確認することができる。
【００１９】
上記情報処理装置は、さらに、コーディネート対象の人物の画像を含む人物データを取得する人物データ取得手段と、上記人物データ取得手段によって取得された人物データに含まれる上記人物の画像と、上記服飾品経時変化処理手段によって生成された経時変化後の服飾品データに含まれる上記服飾品の画像とを合成した合成画像を生成する画像合成処理手段とを備え、上記表示制御手段は、上記画像合成処理手段によって合成された画像を上記表示部に表示させることが好ましい。
【００２０】
上記構成によれば、上記情報処理装置は、コーディネート対象の人物の画像を含む人物データを取得する人物データ取得手段と、上記人物データ取得手段によって取得された人物データに含まれる上記人物の画像と、上記服飾品経時変化処理手段によって生成された経時変化後の服飾品データの画像とを合成する画像合成処理手段とを備え、上記表示制御手段は、上記画像合成処理手段によって合成された画像を上記表示部に表示させることで、上記人物データの人物が上記経時変化後の服飾品データの服飾品を身に付けている状態の合成画像をコーディネート中のユーザに確認させることができる。
【００２１】
これにより、ユーザは、経時変化を加味したコーディネートの確認において、ユーザ自身が上記服飾品を身に付けた状態を具体的にイメージすることができる。
【００２２】
上記人物データ取得手段によって取得される人物データに含まれる人物の画像に、背景画像が付加されていてもよい。
【００２３】
上記構成によれば、人物データ取得手段によって取得される人物データに含まれる人物の画像に、背景画像が付加されていることで、上記画像合成処理手段は、上記背景画像が付加された上記人物の画像に上記服飾品経時変化処理手段によって生成された経時変化後の服飾品データの画像を合成することによって、背景画像を伴った合成画像を生成することができる。
【００２４】
これにより、ユーザは、好みの場面に応じたコーディネートを考慮することができる。
【００２５】
上記人物データは、上記人物の画像の他に、年齢、性別、身長、体重、および足のサイズのうち１つ以上を含んでいることが好ましい。
【００２６】
上記構成によれば、人物データに、上記人物の画像の他に、年齢、性別、身長、体重、および足のサイズのうち１つ以上が含まれていることで、当該人物の体型や年齢、性別を表すパラメータが当該人物に対応付けられることになる。これにより、上記画像合成処理手段は、上記人物の体型や年齢、性別を表すパラメータが対応付けられた人物の画像に、上記服飾品経時変化処理手段によって生成された経時変化後の服飾品データの画像を合成することによって、上記人物の体型や年齢、性別に応じた合成画像を生成することができるので、ユーザは表示部に表示された合成画像を確認することにより、コーディネート中の服飾品が経時変化後も着用可能か否かを確認することができる。
【００２７】
これにより、ユーザは購入を検討している服飾品が着用可能であるか、また、上記服飾品が経時変化によって着用できなくなるか否かを簡易に知ることができる。
【００２８】
上記情報処理装置は、さらに、時間の経過に応じた人物の体型の変化情報を、人物データごとに対応付けて経時人物変化情報として格納した経時人物変化情報データベースと、上記人物データ取得手段によって取得された上記人物データに対し、上記経時人物変化情報データベースから読み取った、当該人物データに対応付けられた経時人物変化情報を用いて経時変化処理を施した経時変化後の人物データを生成する人物経時変化処理手段とを備え、上記画像合成処理手段は、上記人物経時変化処理手段によって生成された経時変化後の人物データに含まれる人物の画像と、上記服飾品経時変化処理手段によって生成された経時変化後の服飾品データの画像とを合成した経時変化後の合成画像を生成することを特徴としている。
【００２９】
上記構成によれば、上記人物経時変化処理手段によって経時変化後の人物データを生成することで、当該人物データに含まれる人物の画像の経時変化後の状態を予測することができるので、この経時変化後の人物データに含まれる人物の画像と、上記服飾品経時変化処理手段によって生成された経時変化後の服飾品データの画像とを合成して、上記経時変化後の合成画像を表示部に表示させるようにすれば、ユーザは、服飾品と人物との両方の経時変化後の状態でのコーディネートを確認することができる。
【００３０】
これにより、ユーザは、経時変化を加味したコーディネートの確認において、ユーザ自身が上記服飾品を身に付けた状態を具体的にイメージすることができるとともに、体型の変化で服飾品のサイズが合わなくなる可能性なども考慮することができる。
【００３１】
上記情報処理装置は、上記人物データに、身長、体重の少なくとも一方を含む身体情報が含まれており、さらに、人物の体型を、上記身体情報と対応付けて人物体型情報として格納した人物体型情報データベースと、上記人物データ取得手段によって取得された上記人物データに含まれる身体情報に対応付けられた人物体型情報を、上記人物体型情報データベースから読み取り、読み取った人物体型情報を用いて上記人物データに含まれる画像を補正する人物画像補正手段とを備えることを特徴としている。
【００３２】
上記構成によれば、上記人物データに、身長、体重の少なくとも一方を含む身体情報が含まれているとき、人物の体型を上記身体情報と対応付けて人物体型情報として格納した人物体型情報データベースと、上記人物データ取得手段によって取得された上記人物データに含まれる身体情報に対応付けられた人物体型情報を、上記人物体型情報データベースから読み取り、読み取った人物体型情報を用いて上記人物データに含まれる画像を補正する人物画像補正手段とを備えることで、ユーザの入力した人物データ中の人物の画像に対し、身長や体重などの身体情報に基づいて適切な体型の身体画像を補充する補正を行うことができる。
【００３３】
これにより、ユーザは、自身の全身画像を所持していなくとも、ユーザの体型に近い人物画像で経時変化を加味したコーディネートを確認することができる。
【００３４】
上記表示制御手段は、さらに、経時変化前の上記服飾品の画像と、経時変化後の上記服飾品の画像とを同時に上記表示部に表示させることを特徴としている。
【００３５】
上記構成によれば、上記情報処理装置は、経時変化前後の上記服飾品の画像を、同時にユーザに提示することができる。
【００３６】
これにより、ユーザは、購入を検討している服飾品について、当該服飾品が時間の経過によってどの程度変化するのかを一目で把握することができる。
【００３７】
上記表示制御手段は、さらに、異なる角度から見た複数の上記服飾品の画像を切り替えて上記表示部に表示させることを特徴としている。
【００３８】
上記構成によれば、上記情報処理装置は、異なる角度から見た複数の上記服飾品の画像を切り替えてユーザに提示することができる。
【００３９】
これにより、ユーザは、購入を検討している服飾品について、複数の角度から見たシルエットの変化などを確認することができる。
【００４０】
上記表示制御手段は、さらに、異なる角度から見た複数の上記服飾品の画像を同時に上記表示部に表示させることを特徴としている。
【００４１】
上記構成によれば、上記情報処理装置は、異なる角度から見た複数の上記服飾品の画像を同時にユーザに提示することができる。
【００４２】
これにより、ユーザは、購入を検討している服飾品について、複数の角度から見たシルエットの変化などを一目で確認することができる。
【００４３】
上記表示制御手段は、さらに、経時変化前の上記合成画像と、経時変化後の上記合成画像とを同時に上記表示部に表示させることを特徴としている。
【００４４】
上記構成によれば、上記情報処理装置は、経時変化前後の上記合成画像を、同時にユーザに提示することができる。
【００４５】
これにより、ユーザは、購入を検討している服飾品を身に付けた状態が、時間の経過によってどの程度変化するのかを一目で把握することができる。
【００４６】
上記表示制御手段は、さらに、異なる角度から見た複数の上記合成画像を切り替えて上記表示部に表示させることを特徴としている。
【００４７】
上記構成によれば、上記情報処理装置は、異なる角度から見た複数の上記合成画像を切り替えてユーザに提示することができる。
【００４８】
これにより、ユーザは、購入を検討している服飾品を身に付けた状態について、複数の角度から見たシルエットの変化などを確認することができる。
【００４９】
上記表示制御手段は、さらに、異なる角度から見た複数の上記合成画像を同時に上記表示部に表示させることを特徴としている。
【００５０】
上記構成によれば、上記情報処理装置は、異なる角度から見た複数の上記合成画像を同時にユーザに提示することができる。
【００５１】
これにより、ユーザは、購入を検討している服飾品を身に付けた状態について、複数の角度から見たシルエットの変化などを一目で確認することができる。
【００５２】
なお、上記情報処理装置は、コンピュータによって実現してもよく、この場合には、コンピュータを上記各手段として動作させることにより上記情報処理装置をコンピュータにて実現させる情報処理装置の制御プログラム、およびそれを記録したコンピュータ読み取り可能な記録媒体も、本発明の範疇に入る。
【発明の効果】
【００５３】
上記のように、本発明に係る情報処理装置は、服飾品のコーディネートに関し、コーディネートした状態の服飾品の画像を表示する表示部と、コーディネート中の服飾品の画像を含む服飾品データを取得する服飾品データ取得手段と、時間の経過に応じた服飾品の構成要素の変化情報を、服飾品データ毎に対応付けて経時服飾品変化情報として格納した経時服飾品変化情報データベースと、上記服飾品データ取得手段によって取得された上記服飾品データに対し、上記経時服飾品変化情報データベースから読み取った、当該服飾品データに対応付けられた経時服飾品変化情報を用いて経時変化処理を施した経時変化後の服飾品データを生成する服飾品経時変化処理手段と、上記服飾品経時変化処理手段によって生成された上記経時変化後の服飾品データを画像として上記表示部に表示させる表示制御手段と、を備える構成である。
【００５４】
上記の構成によれば、ユーザは、購入を検討している服飾品について、経時変化を加味したコーディネートを確認することできる。
【図面の簡単な説明】
【００５５】
【図１】本発明の第１の実施形態に係る情報処理装置の構成を示す機能ブロック図である。
【図２】図１に示す情報処理装置による、服飾品に関する経時変化処理の流れを示すフローチャートである。
【図３】（ａ）は、図１に示す情報処理装置による、服飾品画像の表示例を示す図であり、（ｂ）は、図１に示す情報処理装置による、上記服飾品画像のうち、正面図の画像と背面図の画像とを同時に表示している状態を示す図であり、（ｃ）は、図１に示す情報処理装置による、上記服飾品画像のうち、正面図の画像と背面図の画像とを切り替えて表示している状態を示す図である。（ｄ）は、図１に示す情報処理装置による、複数の服飾品の服飾品画像を取り込んだ状態での表示例を示す図であり、（ｅ）は、図１に示す情報処理装置による、経時変化後の服飾品画像の表示例を示す図であり、（ｆ）は、図１に示す情報処理装置による、経時変化前後の服飾品画像を同時に表示している状態を示す図である。
【図４】本発明の第２の実施形態に係る情報処理装置の構成を示す機能ブロック図である。
【図５】図４に示す情報処理装置による、服飾品と人物とに関する経時変化処理の流れを示すフローチャートである。
【図６】（ａ）は、図４に示す情報処理装置による、人物画像の表示例を示す図であり、（ｂ）は、図４に示す情報処理装置による、合成画像の表示例を示す図であり、（ｃ）は、図４に示す情報処理装置による、３０歳男性の経時変化前後の合成画像を並べて表示している状態を示す図であり、（ｄ）は、図４に示す情報処理装置による、１０歳男性の経時変化前後の合成画像を並べて表示している状態を示す図である。
【図７】本発明の第３の実施形態に係る情報処理装置の構成を示す機能ブロック図である。
【図８】図７に示す情報処理装置による、人物画像の補正処理の流れを示すフローチャートである。
【図９】（ａ）は、図７に示す情報処理装置による、補正条件の設定画面の表示例を示す図であり、（ｂ）は、図７に示す情報処理装置による、補正画像の表示例を示す図であり、（ｃ）は、図７に示す情報処理装置による、補正後の合成画像の表示例を示す図である。
【発明を実施するための形態】
【００５６】
〔第１の実施形態〕
本実施形態に係る情報処理装置は、店舗等に設置されている端末であって、ユーザが購入を検討している服飾品について、上記服飾品の構成要素が、所定の期間が経過することによりどのように変化するのかを反映させた経時変化後の服飾品画像を提示することを可能にするものである。
【００５７】
図１は、本実施形態に係る情報処理装置１の機能ブロック図である。情報処理装置１には、パソコン、タブレット端末、携帯電話、およびデジタルテレビなど、画像表示機能を備えるあらゆる情報処理装置が含まれる。
【００５８】
上記情報処理装置１は、図１に示すように、表示部２、入力部３、撮像部４、通信部５、制御部６、記憶部７を有している。
【００５９】
表示部２は、通信部５や撮像部４を介して取得した服飾品画像、あるいは制御部６において上記画像に経時変化処理を施した画像を表示する手段であり、例えば液晶ディスプレイなどである。
【００６０】
入力部３は、ユーザが入力操作を行うインターフェースであり、例えばハードキーやタッチパネルなどである。ユーザは入力部３を介して、服飾品の取り込み指示や、経時変化条件の入力を行う。
【００６１】
撮像部４は、服飾品画像などを取得する手段であり、例えばＣＣＤ（charge coupled device）カメラなどである。上記画像は、ユーザの所有する携帯電話などのカメラで取得され、通信部５を介して情報処理装置１に取得されてもよい。また、撮像部４は、バーコードリーダの機能を備えており、服飾品に取り付けられたバーコードの読み取りを行ってもよい。
【００６２】
通信部５は、有線または無線により外部と通信する手段であり、例えばユーザの所有する携帯電話や、店舗の商品データベースなどとデータの送受信を行う。通信手段として、ＩＣ通信、Bluetooth（登録商標）通信、赤外線通信、電話回線網を利用してもよい。また、通信部５は、服飾品に取り付けられたＩＣチップタグの読み取りを行ってもよい。
【００６３】
制御部６は、上記の各部材の機能を統括し、情報処理装置１の駆動を制御する手段である。記憶部７は、制御部６が行う各処理において参照されるデータやプログラムを保持する手段である。
【００６４】
次に、制御部６の詳細な構成について説明する。制御部６は、表示制御部（表示制御手段）６１と、入力受付部６２と、服飾品データ取得部（服飾品データ取得手段）６３と、データ取得完了確認部６４と、服飾品経時変化処理部（服飾品経時変化処理手段）６５とを備える。
【００６５】
表示制御部６１は、服飾品データ取得部６３が取得した服飾品画像、あるいはそれらに経時変化処理を施したものを、表示部２に画像として出力する。表示制御部６１は、同一の服飾品の複数の異なる角度の画像を同時に、あるいは切り替えて表示させるように表示部２に対し指示を出してもよい。
【００６６】
入力受付部（経過時間指定手段）６２は、入力部３に対するユーザ入力を取得する。具体的には、入力部３からのユーザ入力に基づいて、服飾品データ取得部６３に対して服飾品データの取得を指示したり、服飾品経時変化処理部６５に送信する経時変化条件を取得したりする。
【００６７】
服飾品データ取得部６３は、撮像部４や通信部５、および入力受付部６２を介して服飾品データを取得する。なお、上記服飾品データは、上記服飾品の画像の他に、識別ＩＤ、服飾品カテゴリ、サイズ、生地の素材、製造日、および対象性別のうち１つ以上を含んでいることが好ましい。
【００６８】
データ取得完了確認部６４は、入力部３からの入力に基づいて、服飾品データの取り込みが完了したか否かを判定する。例えば、表示部２に「取り込み」「完了」の２つを表示させておき、ユーザが「取り込み」を選択すれば、データ取得完了確認部６４は、まだ取り込むべきデータがあると判断し、服飾品データ取得部６３に対し、服飾品データの取得を継続するよう指示を出す。ユーザが「完了」を選択すれば、データ取得完了確認部６４は、取り込みが完了したと判断し、服飾品データ取得部６３に対し、次の処理へと進むよう指示を出す。
【００６９】
服飾品経時変化処理部６５は、上記服飾品データについて、所定の期間経過後の変化を計算する。具体的には、ユーザが設定した経時変化条件と、記憶部７の経時服飾品変化情報ＤＢ７１に格納されている経時服飾品変化情報とに基づき、上記服飾品の構成要素がどのように変化するかを計算し、経時変化後の服飾品データを生成する。
【００７０】
経時服飾品変化情報ＤＢ（経時服飾品変化情報データベース）７１は、上記記憶部７に含まれ、時間の経過に伴い服飾品の構成要素がどのように変化するかの情報（経時服飾品変化情報）を格納したデータベースである。上記服飾品の構成要素とは、例えば色や形状や素材などである。経時服飾品変化情報ＤＢ７１に格納されている情報は、統計的実測値に基づくものであることが好ましい。また、経時服飾品変化情報ＤＢ７１は情報処理装置１の外部に存在してもよく、その場合は上記経時服飾品変化情報は通信部５を介して取得されてもよい。
【００７１】
図２は、本実施形態に係る情報処理装置１の行う処理の流れを示すフローチャートである。今回は、購入検討服飾品として、Ｔシャツとズボンでコーディネートする例を示す。
【００７２】
まず、服飾品データの取り込みが行なわれる（ステップＳ１０１：服飾品データ取得ステップ）。ここでは、服飾品データ取得部６３が、撮像部４または通信部５を介して、ユーザが購入を検討している服飾品の服飾品データを取得する。上記服飾品データは、上記服飾品の画像の他に、識別ＩＤ、服飾品カテゴリ、サイズ、生地の素材、製造日、および対象性別のうち１つ以上を含んでいることが好ましい。上記服飾品データは、例えば、上記服飾品データを内蔵したＩＣチップタグやバーコードが上記服飾品に取り付けられており、そのＩＣチップやバーコードの情報を撮像部４や通信部５で読み取ることで取得されてもよい。また、店舗などに服飾品を管理しているデータベースサーバ（図示せず）があり、上記データベースサーバに格納されている情報が、通信部５を介して取得されてもよい。また、上記服飾品画像は２Ｄの平面画像であっても、３Ｄの立体画像（３次元モデル）であってもよい。画像以外のパラメータは、入力部３を介して取得されてもよい。
【００７３】
次に、服飾品画像を表示する（ステップＳ１０２）。ここでは、表示制御部６１が、例えば図３（ａ）に示すように、服飾品データ取得部６３から受信した上記服飾品画像３０を、表示部２に表示させる。画像だけでなく、サイズなどのその他の上記服飾品データを合わせて表示させてもよい。複数の画像を保持している場合は、例えば図３（ｂ）に示すように、正面図３０ａと背面図３０ｂのように、２つ以上の画像を同時に表示させてもよいし、例えば図３（ｃ）に示すように、切り替えボタン３２によって、表示部２に表示させる正面図３０ａと背面図３０ｂとを任意に切り替えることができるようにしてもよい。また、３Ｄ画像の場合は視点を任意に変更できるようにしてもよい。さらに、ＡＲ（Augmented Reality：拡張現実）技術として、撮像部４で取得されている画像を表示部２にそのまま表示させ、その画像上でコーディネートできるようにしてもよい。
【００７４】
表示部２が上記服飾品画像を表示することで、ユーザは、現時点でのコーディネートを確認することができる。上記服飾品画像のみでなく、アバターに服飾品を身に付けさせた画像を表示してもよい。例えば、記憶部７がいくつかのアバターのパターンを保持しており、服飾品データの対象性別、サイズにより上記パターンの中からアバターを選択し表示する。ユーザが任意のアバターを選択できるようにしてもよい。
【００７５】
続いて、服飾品データの取り込み完了を確認する（ステップＳ１０３）。ここでは、データ取得完了確認部６４が、入力部３からの入力に基づいて、服飾品データの取り込みが完了したか否かを判定する。例えば、表示部２に取り込み完了確認ボタン３１として「取り込み」「完了」の２つを表示させておき、次の服飾品データの取り込み指示を待つ。
【００７６】
ユーザが「取り込み」を選択した場合（Ｓ１０３でＮｏ）、データ取得完了確認部６４は、まだ取り込むべきデータがあると判断し、服飾品データ取得部６３に対し、次の服飾品データを取得するよう指示を出す。
【００７７】
ユーザが「完了」を選択した場合（Ｓ１０３でＹｅｓ）、データ取得完了確認部６４は、取り込みが完了したと判断し、服飾品データ取得部６３に対し、次のステップＳ１０４へと進むよう指示を出す。本例では、Ｔシャツの他にズボンのデータを取り込むため、図３（ａ）に示すように、Ｔシャツのみを取り込んだ状態では、ユーザは「取り込み」を選択し、図３（ｄ）に示すように、Ｔシャツとズボンを取り込んだ状態では、ユーザは「完了」を選択する。
【００７８】
服飾品データの取り込みが完了したと判定されると（Ｓ１０３でＹｅｓ）、ステップＳ１０４において、経時変化条件の取得が行なわれる。ここでは、入力受付部６２が、入力部３を介して、ユーザが入力した服飾品の経時変化条件を取得する。経時変化条件としては、例えば、経時変化させる基準日（2012/1/1等）、経時変化させる期間（基準日からの期間、１年等）、期間中の使用頻度（週に１回等）、期間中の活動頻度（１回の着用で３時間等）、および期間中の洗濯頻度（週に１回等）などが考えられるが、これに限らない。
【００７９】
経時変化させる基準日を設けることで、製造日から基準日までの期間と、基準日からの期間を別々に扱うことができる。例えば、基準日＝購入日とした場合、基準日までは洗濯なし、基準日以降は洗濯ありなどの状況を考慮することができる。また、経時変化の条件として、使用頻度、活動頻度、洗濯頻度などの使用状況を考慮することで、生活の実態に合わせた状況を考慮することができる。
【００８０】
次に、経時変化条件に応じた服飾品画像を生成する（ステップＳ１０５：服飾品経時変化処理ステップ）。ここでは、服飾品経時変化処理部６５が、ステップＳ１０４で入力受付部６２が取得した上記経時変化条件を受信し、上記経時変化条件と、経時服飾品変化情報ＤＢ７１に格納されている、上記服飾品データに対応付けられた経時服飾品変化情報とに基づいて、経時変化後の服飾品画像を生成する。ここで、経時服飾品変化情報とは、時間が経過することにより、服飾品の色や形や素材などの服飾品の構成要素にどのような変化があるかを示した情報である。例えば、１回の洗濯、１時間の活動といった各時間単位あたりにどの程度、服飾品の色（色落ち、黄ばみ等）や形状（型崩れ）に変化があるか、構成する素材へダメージ（傷、汚れ等）があるかなどを示す情報である。
【００８１】
経時服飾品変化情報ＤＢ７１に格納されている経時服飾品変化情報の例を示す。本例でコーディネートするＴシャツについては、例えば以下のような経時服飾品変化情報が考えられるが、このようなものに限られない。
（Ｔシャツ：綿100%）
色：明度や彩度などの色の要素。色の表現方法はＲＧＢ、ＹＵＶなど様々にあり、特に限定はない。
・１回の洗濯  ：製造日の状態を基準として明度が0.1%、彩度が0.1%下がる。
・10時間の活動       ：製造日の状態を基準として明度が0.01%、彩度が0.01%下がる。
形：伸縮率など、形が服飾品に与える要素。
・１回の洗濯  ：製造日の状態を基準として0.03%縮む。
・10時間の活動       ：製造日の状態を基準として0.01%伸びる。
素材：生地の強度など、素材が服飾品に与える要素。
・１回の洗濯  ：製造日の状態を基準として0.03%強度が下がる。
・10時間の活動       ：製造日の状態を基準として1%強度が下がる。
【００８２】
情報処理装置１に、週１回着用、週１回洗濯、１回の着用で３時間活動を１年間続けるという条件を入力したとすると、服飾品経時変化処理部６５は、指定期間である１年のうちに、５２回の着用、１５６時間の活動、５２回の洗濯を行うと判断する。これらの情報と経時服飾品変化情報ＤＢ７１に格納されている、単位時間当たりの上記経時服飾品変化情報を加味することで、期間経過後の服飾品の変化を判断し、経時変化後の服飾品データを生成する。経時服飾品変化情報ＤＢ７１に、例えば上記例に示した「綿素材のＴシャツは１回の洗濯で0.03％縮む」という情報があるとすると、服飾品経時変化処理部６５は、１年のうちに５２回の洗濯があり、従って1.56%（52*0.03）縮むと判断し、1.56%縮小した画像を含む服飾品データを生成することになる。
【００８３】
服飾品データに含まれる製造日データＡと、条件として入力された基準日Ｂ、基準日から経時変化させる期間Ｃが以下のとおりであったとする。
・製造日Ａ：2012/1/1
・基準日Ｂ：2013/1/1
・基準日から経時変化させる期間Ｃ：１年
基準日を服飾品の購入日とした場合、製造日から基準日までの１年間は洗濯がないと考え、服飾品の変化は小さいと考えられる。その後、基準日（購入日）からの１年間は着用、洗濯が頻繁にあるため変化は大きいと考えられる。服飾品経時変化処理部６５はこのように、製造日、基準日、および期間を考慮して、経時変化後の服飾品データを生成できる。
【００８４】
なお、上記経時服飾品変化情報は、単位時間あたりに一律に変化する情報に限られない。例えば、最初の数回の洗濯では色落ちが大きく、それ以降は色落ちが小さいといったように色変化が単位時間あたりに一律でない場合もある。このような場合は、それぞれの回数に応じてどの程度色が変化するのかといった情報をもっておいてもよい。経時変化条件を複数入力した場合、それぞれの条件が服飾品に及ぼす影響は独立であるとしてもよいし、依存関係があるとしてもよい。また、経時服飾品変化情報ＤＢ７１は、服飾品の各部位ごとに上記経時服飾品変化情報をもっていてもよい。例えば、ズボンであれば、一般的に、曲げ伸ばしが頻繁に行われる膝の部分は他の部分よりも痛みやすい。このような事情を考慮し各部位ごとに細かく上記経時服飾品変化情報を保持していてもよい。
【００８５】
続いて、経時変化条件に応じた服飾品画像を表示する（ステップＳ１０６：表示制御ステップ）。ここでは、表示制御部６１が、服飾品経時変化処理部６５から受信した上記経時変化後の服飾品データを、表示部２に表示させる。このとき、表示制御部６１は、例えば図３（ｅ）に示すように、経時変化後の服飾品画像５０のみを表示させてもよいし、経時変化前後の差異が明確になるように、また、例えば図３（ｆ）に示すように、経時変化前の服飾品画像３０と経時変化後の服飾品画像５０とを並べて表示させてもよい。その他、表示方法についてはステップＳ１０２と同様である。
【００８６】
なお、ステップＳ１０１において服飾品データ取得部６３が取得した服飾品データに、「期間ごとの経時変化画像」が含まれていてもよく、その場合、ステップＳ１０５において、服飾品経時変化処理部６５は新たに経時変化後の服飾品画像の生成を行わなくてもよい。この場合、ステップＳ１０４において取得する経時変化条件は、経時変化させる期間のみでよい。そして、ステップＳ１０５において、服飾品経時変化処理部６５は、服飾品データ取得部６３から受信した上記服飾品データに含まれる「期間ごとの経時変化画像」の中から、指定された期間に最も近い経時変化画像を選択し、これを経時変化後の服飾品画像として表示制御部６１に出力する。
【００８７】
また、ステップＳ１０６において、服飾品の色落ちが激しい、強度が弱くなっているため袖口がやぶれやすくなっているなど、ユーザに注意を促したい場合は、該当箇所を丸印で囲んだり、文字表示や音声出力を行ったりしてもよい。さらに、コーディネートのアドバイスを表示、提案してもよい。
【００８８】
続いて、コーディネートの確認終了を判定する（ステップＳ１０７）。ここでは、入力受付部６２が、上記服飾品に関するコーディネートの確認を終了する（Ｙｅｓ）か、経時変化条件を変更して再確認する（Ｎｏ１）か、服飾品の一部、すなわちコーディネートを変更して再確認する（Ｎｏ２）か、のいずれかの指示を受け付ける。ユーザによってコーディネートの確認終了が指示されると（Ｓ１０７でＹｅｓ）、情報処理装置１は、図２のフローチャートの開始が再び指示されるまで待機する。ユーザによって経時変化条件を変更して再確認する指示が出されると（Ｓ１０７でＮｏ１）、ステップＳ１０４において、入力受付部６２は、新たな経時変化条件を取得する。コーディネートを変更して再確認する指示が出されると（Ｓ１０７でＮｏ２）、ステップＳ１０１において、服飾品データ取得部６３は、撮像部４または通信部５を介して新たな服飾品データを取得する。
【００８９】
上記のように、本実施形態に係る情報処理装置１は、色や形や素材などの服飾品の構成要素について、経過する期間に応じてどのように変化するのかを反映させた経時変化後の服飾品画像５０を提示することができる。これにより、ユーザは、購入を検討している服飾品について、経時変化を加味したコーディネートを確認することができる。さらに、経時変化させる期間を任意に設定できることにより、ユーザは、所望の経過時間に応じた経時変化を加味したコーディネートを確認することができる。
【００９０】
ところで、コーディネートの確認においては、ユーザが実際に当該服飾品を着用している状態を具体的にイメージできることが好ましい。さらに、服飾品だけでなく、服飾品を着用するユーザの体型もまた、経時的に変化するものであるため、ユーザの体型の経時的な変化をも加味したコーディネートを確認できることがより好ましいと考えられる。
【００９１】
以下の第２の実施形態では、前記第１の実施形態に記載の情報処理装置に、さらに、人物画像と服飾品画像とを合成し、合成画像を生成するとともに、上記人物画像にも経時変化処理を施した、経時変化後の合成画像を提示する構成を追加することで、ユーザの体型の経時的な変化を加味したコーディネートの確認を可能とする情報処理装置について説明する。
【００９２】
〔第２の実施形態〕
図４は、本実施形態に係る情報処理装置１２の機能ブロック図である。なお、説明の便宜上、上記第１の実施形態にて説明した図面と同じ機能を有する部材については、同じ符号を付記し、その説明を省略する。
【００９３】
上記情報処理装置１２は、図４に示すように、前記第１の実施形態の情報処理装置１が備えている制御部６の服飾品データ取得部６３に代えて、コーディネートデータ取得部６６を有し、さらに、画像合成処理部（画像合成処理手段）６７及び人物経時変化処理部（人物経時変化処理手段）６８を有している。また、情報処理装置１２が有する記憶部７は、経時服飾品変化情報ＤＢ７１の他に経時人物変化情報ＤＢ（経時人物変化情報データベース）７２を有している。
【００９４】
コーディネートデータ取得部６６は、服飾品データおよび人物データ、すなわちコーディネートに必要な画像などのデータをコーディネートデータとして、撮像部４や通信部５、および入力受付部６２を介して取得する。コーディネートデータ取得部６６は、人物データ取得部（人物データ取得手段）６６１と、服飾品データ取得部６６２とを備える。
【００９５】
人物データ取得部６６１は、撮像部４や通信部５、および入力受付部６２を介して人物データを取得する。なお、上記人物データは、上記人物の画像の他に、年齢、性別、身長、体重、および足のサイズのうち１つ以上を含んでいることが好ましい。なお、服飾品データ取得部６６２は、上記第１の実施形態に記載の服飾品データ取得部６３と同一の部材である。
【００９６】
画像合成処理部６７は、複数の画像を合成し、新たな画像を生成する。具体的には、人物画像と服飾品画像を組み合わせることにより、実際に着用した様子をイメージしやすいコーディネート画像を生成する。
【００９７】
経時人物変化情報ＤＢ７２は、時間の経過に伴い人物の体型がどのように変化するかの情報（経時人物変化情報）を格納したデータベースである。経時人物変化情報ＤＢ７２には、年齢によって異なる体型変化の情報も格納されており、例えば、１年後における体型の変化は大人より子供のほうが大きいと考えられる。経時人物変化情報ＤＢ７２に格納されている情報は、統計的実測値に基づくものであることが好ましい。また、経時人物変化情報ＤＢ７２は情報処理装置１２の外部に存在してもよく、その場合は上記経時人物変化情報は通信部５を介して取得されてもよい。
【００９８】
人物経時変化処理部６８は、上記人物データについて、所定の期間後の変化を計算する。具体的には、ユーザが設定した経時変化条件と、記憶部７の経時人物変化情報ＤＢ７２に格納されている経時人物変化情報とに基づき、上記人物の体型がどのように変化するかを計算し、経時変化後の人物データを生成する。
【００９９】
図５は、本実施形態に係る情報処理装置１２の行う処理の流れを示すフローチャートである。本実施形態では、服飾品画像と人物画像を重畳して表示する例を説明する。
【０１００】
上記人物画像は人物のみを切り抜いたものでもよいし、背景画像が付加されたものであってもよい。ここで、背景画像が付加されたものとは、例えば、カメラ撮影した人物とその背景画像をそのまま人物画像としたものなどである。背景画像があることにより、ユーザは所定の場面に応じたコーディネートを考慮することができる。なお、上記人物画像は、頭から足までのシルエット全体を写した直立不動のものが好ましいが、これに限らない。
【０１０１】
まず、人物データの取り込みが行なわれる（ステップＳ２０１）。ここでは、コーディネートデータ取得部６６の人物データ取得部６６１が、撮像部４または通信部５を介して、服飾品を着用する人物（ユーザなど）のデータ（人物データ）を取得する。上記人物データには、人物画像８０の他に、年齢、性別、身長、体重、および足のサイズなどが含まれる。上記人物データが上記のような身体情報を含むことにより、ユーザは購入を検討している服飾品が着用可能であるか、また、上記服飾品が経時変化によって着用できなくなるか否かを簡易に知ることができる。上記人物データは、例えば、対象となる人物が人物データを内蔵したＩＣチップカードを所持しており、上記ＩＣチップカードの情報を、通信部５を介して読み取ることで取得されてもよい。また、別の装置が上記人物データの一部または全てを保持している場合には、それらのデータが通信部５を介して取得されてもよい。
【０１０２】
次に、人物画像を表示する（ステップＳ２０２）。ここでは、表示制御部６１は、例えば図６（ａ）に示すように、コーディネートデータ取得部６６から受信した上記人物データの上記人物画像８０を、表示部２に表示させる。その他、第１の実施形態における、ステップＳ１０２に記載の服飾品画像３０の表示方法と同様である。例えば、画像だけでなく、身長や体重などの身体情報８１を合わせて表示させてもよいし、画像が複数ある場合はそれらを同時に表示させてもよい。
【０１０３】
続いて、服飾品データの取り込みを行なう（ステップＳ２０３）。ここでは、コーディネートデータ取得部６６の服飾品データ取得部６６２が、服飾品の服飾品データを取得する。その他、ステップＳ１０１と同様である。
【０１０４】
次に、服飾品画像と人物画像の合成を行なう（ステップＳ２０４）。ここでは、画像合成処理部６７が、コーディネートデータ取得部６６から受信した上記人物データ中の上記人物画像８０と、上記服飾品データ中の上記服飾品画像３０とを合成し、上記人物（ユーザなど）が上記服飾品を身に付けた状態の合成画像９０を生成する。
【０１０５】
次いで、合成画像を表示する（ステップＳ２０５）。ここでは、表示制御部６１が、図６（ｂ）に示すように、画像合成処理部６７が生成した上記合成画像９０を表示部２に表示させる。画像だけでなく、サイズなどのその他の上記服飾品データや、身長や体重などその他の上記人物データを合わせて表示させてもよい。服飾品および人物について複数の画像を保持している場合は、例えば正面図と背面図のように、２つ以上の合成画像９０を同時に表示させてもよいし、切り替えボタン３２（図２（ｃ））によって、表示部２に表示させる正面図と背面図とを任意に切り替えることができるようにしてもよい。その他、ステップＳ１０２と同様である。
【０１０６】
続いて、服飾品データの取り込み完了を確認する（ステップＳ２０６）。ここでは、データ取得完了確認部６４が、入力部３からの入力に基づいて、服飾品データの取り込みが完了したか否かを判定する。ここでも前記第１の実施形態のステップＳ１０３と同様に、例えば、表示部２に取り込み完了確認ボタン３１として「取り込み」「完了」の２つを表示させておき、次の服飾品データの取り込み指示を待つ。
【０１０７】
服飾品データの取り込みが完了したと判定されると（Ｓ２０６でＹｅｓ）、経時変化条件の取得を行なう（ステップＳ２０７）。ここでは、入力受付部６２が、入力部３を介して、ユーザが入力した服飾品および人物の経時変化条件を取得する。服飾品の経時変化条件については第１の実施形態のＳ１０４と同様である。人物の経時変化条件としては、例えば以下が考えられるが、これに限らない。
・経時変化させる基準日（2012/1/1等）
・経時変化させる期間（基準日からの期間：１年等）
・経時変化させる期間経過後の身体情報（身長、体重）
続いて、経時変化条件に応じた合成画像を生成する（ステップＳ２０８）。ここでは、まず、服飾品経時変化処理部６５が、ステップＳ２０７で入力受付部６２が取得した上記服飾品の経時変化条件を受信する一方、人物経時変化処理部６８も上記入力受付部６２から取得した上記人物の経時変化条件を受信し、経時変化後の服飾品データおよび経時変化後の人物データを生成する。服飾品および人物の経時変化処理が終了すると、服飾品経時変化処理部６５および人物経時変化処理部６８は、画像合成処理部６７に対し、上記経時変化処理後の服飾品データおよび上記経時変化後の人物データを送信する。続いて、画像合成処理部６７はＳ２０４と同様の処理によって、図６（ｃ）に示すような経時変化後の合成画像９０ｂを生成する。なお、服飾品の経時変化処理については、第１の実施形態のＳ１０５と同様である。
【０１０８】
ここで、人物の経時変化処理について説明する。記憶部７の経時人物変化情報ＤＢ７２には、現在の身長、体重などの身体情報８１、および年齢、性別などから将来の身体状況を算出する経時人物変化情報が格納されている。経時人物変化情報ＤＢ７２は、人物データが年齢ごとの身体情報を含んでいる場合には、過去から現在までの身体情報を利用して、将来の身体状況を把握するデータベースであってもよい。
【０１０９】
人物経時変化処理部６８は、上記人物の経時変化条件に従って、人物の身長、体重などの身体情報がどの程度変化するかを、上記身体情報８１および年齢、性別などと、経時人物変化情報ＤＢ７２の経時人物変化情報とに基づいて算出し、所定の期間経過後の上記人物データを生成する。
【０１１０】
経時人物変化情報ＤＢ７２に格納されている経時人物変化情報の例を示す。
（男性  ３０歳）
現在：身長170cm、体重60kg  ⇒  １年後：身長170cm、体重62kg
（男性  １０歳）
現在：身長136cm、体重34kg  ⇒  １年後：身長142cm、体重38kg
例えば、経時変化させる基準日が本日、経時変化させる期間が１年とすると、人物経時変化処理部６８は、現在の身長および体重を加味したうえで、本日から１年後に身体情報がどの程度変化するかを、経時人物変化情報ＤＢ７２の経時人物変化情報に基づいて算出し、１年後の上記人物データを生成する。なお、上記例に示した通り、子供の場合は成長が著しいが、大人の場合は期間が経過しても身体にあまり変化がないと考えられる。従って、経時変化させる基準日、経時変化させる期間といった条件ではなく、期間経過後の身体情報を直接条件に指定することも可能とする。上記期間経過後の身体情報は、ダイエットの目標数値として利用することもできる。
【０１１１】
次に、経過変化条件に応じた合成画像を表示する（ステップＳ２０９）。ここでは、表示制御部６１が、図６（ｃ）に示すように、画像合成処理部６７から受信した上記経時変化後の服飾品と人物の合成画像９０ｂを、表示部２に表示させる。第１の実施形態のＳ１０６と同様、経時変化後の合成画像９０ｂのみを表示させてもよいし、経時変化前後の差異が明確になるように、経時変化前の合成画像９０ａと経時変化後の合成画像９０ｂとを並べて表示させてもよい。また、現在の体型情報８１ａと経時変化後の体型情報８１ｂとを合わせて表示させてもよい。
【０１１２】
図６（ｄ）は、上記例に挙げた１０歳男性の経時変化前後の画像を示す図である。図６（ｃ）に示した３０歳男性の経時変化前後の画像と比較すると、１０歳の子供の方が３０歳の大人より成長が著しく、１年後シャツの袖の長さやズボンの丈が合わなくなっている様子が分かる。
【０１１３】
続いて、コーディネートの確認終了を判定する（ステップＳ２１０）。ここでは、入力受付部６２が、上記服飾品に関するコーディネートの確認を終了する（Ｙｅｓ）か、経時変化条件を変更して再確認する（Ｎｏ１）か、服飾品の一部、すなわちコーディネートを変更して再確認する（Ｎｏ２）か、のいずれかの指示を受け付ける。その他の処理、第１の実施形態のＳ１０７と同様である。
【０１１４】
上記のように、本実施形態に係る情報処理装置１２は、上記第１の実施形態の奏する効果に加え、さらに、人物画像８０と服飾品画像３０とを合成し、合成画像９０を生成することができる。これにより、ユーザは、経時変化を加味したコーディネートの確認において、ユーザ自身が服飾品を身に付けた状態を具体的にイメージすることができる。さらに、上記服飾品画像３０のみでなく、上記人物画像８０にも経時変化処理を施した、経時変化後の合成画像９０ｂを提示することにより、ユーザは、ユーザ自身の体型の変化で服飾品のサイズが合わなくなる可能性なども考慮することができる。
【０１１５】
なお、本発明に係る情報処理装置を利用する場面において、必ずしもユーザが自身の全身画像を所持しているとは限らない。このような状況を想定し、上記情報処理装置は、ユーザの所持する人物画像を適切に補正できることが好ましいと考えられる。
【０１１６】
以下の第３の実施形態では、ユーザが自身の全身画像を所持していない場合であっても、ユーザの画像を補間することで、全身画像を生成して、服飾品のコーディネートを確認する例を示している。
【０１１７】
〔第３の実施形態〕
本実施形態に係る情報処理装置は、前記第２の実施形態に記載の情報処理装置であって、さらに、補正条件に基づいて人物画像を補正した画像である補正画像を用いた、補正後の合成画像でコーディネートを提示することを可能にするものである。
【０１１８】
図７は、本実施形態に係る情報処理装置１３の機能ブロック図である。なお、説明の便宜上、上記第１および第２の実施形態にて説明した図面と同じ機能を有する部材については、同じ符号を付記し、その説明を省略する。
【０１１９】
上記情報処理装置１３は、図７に示すように、前記第２の実施形態の情報処理装置１２が備えている制御部６内に人物画像補正部６９を有している。また、情報処理装置１３が有する記憶部７は、経時服飾品変化情報ＤＢ７１、経時人物変化情報ＤＢ７２の他に人物体型情報ＤＢ（人物体型情報データベース）７３を有している。
【０１２０】
人物画像補正部（人物画像補正手段）６９は、人物データ取得部６６１が取得した人物画像を、所定の補正条件と、人物体型情報ＤＢ７３に格納されている人物体型情報とに基づいて補正する。例えば、肩から上だけが写っている人物の写真を、全身画像にするような補正を行う。なお、上記所定の補正条件とは、入力受付部６２が入力部３を介して取得する身長、体重などの身体情報８１である。
【０１２１】
人物体型情報ＤＢ７３は、人物の体型に関する情報（人物体型情報）を格納したデータベースである。具体的には、さまざまな身長、体重等の身体情報８１に対応する体型情報が格納されている。人物体型情報ＤＢ７３に格納されている情報は、統計的実測値に基づくものであることが好ましい。また、人物体型情報ＤＢ７３は情報処理装置１３の外部に存在し、上記人物体型情報は通信部５を介して取得されてもよい。
【０１２２】
図８は、本実施形態に係る情報処理装置１３の行う、人物画像の補正処理の流れを示すフローチャートである。この処理を開始するトリガは、例えば、上記第２の実施形態のＳ２０２の直後に設けられており、入力受付部６２が、人物画像の補正を行う指示を、入力部３を介して取得することであってもよい。
【０１２３】
人物画像の補正処理が開始すると、まず、補正条件を取得する（ステップＳ３０１）。ここでは、入力受付部６２は、ユーザの入力する補正条件を、入力部３を介して取得する。上記補正条件とは、人物画像をどのように補正するかを示す情報であり、例えば補正カテゴリ１３０と人物の身体情報８１とを含む。このとき表示制御部６１は、例えば図９（ａ）に示すように、全身画像に補正するか、上半身画像に補正するかの補正カテゴリ１３０を、ユーザが選択できるように表示部２に表示させてもよい。さらに、入力受付部６２は、補正に当たって参照する身長、体重などの身体情報８１を、入力部３を介して取得する。例えば、肩から上のみの人物画像があり、これを全身画像に補正したい場合、ユーザは補正カテゴリ１３０として全身画像を選択し、身体情報８１を入力する。上記身体情報８１は、人物データ取得部６６１が取得する人物データに含まれていてもよい。上記補正カテゴリ１３０と上記身体情報８１が設定されることにより、補正条件が決定される。
【０１２４】
次に、人物画像を補正する（ステップＳ３０２）。ここでは、人物画像補正部６９は、入力受付部６２から受信した上記補正条件と、人物体型情報ＤＢ７３に格納されている人物体型情報とに基づいて、人物データ取得部６６１から受信した上記人物画像の補正を行う。具体的には、上記補正条件に対応する人物体型情報を、人物体型情報ＤＢ７３から参照し、上記人物体型情報と、上記人物画像とを合成し、補正画像１３１を生成する。このとき、図９（ｂ）に示すように、仮の服飾品を身に付けた状態で画像を生成してもよい。
【０１２５】
人物体型情報ＤＢ７３には、人物の身長、体重などの身体情報８１から人物の体型を生成するための人物体型情報が格納されている。上記人物体型情報は、例えば上記身体情報に対応付けられた上半身や全身の画像などであり、統計的実測値に基づくデータであることが好ましい。
【０１２６】
続いて、補正した人物画像を表示する（ステップＳ３０３）。ここでは、表示制御部６１は、図９（ｂ）に示すように、ステップＳ３０２において生成した補正画像１３１を、表示部２に表示させる。
【０１２７】
上記Ｓ３０１〜Ｓ３０３のステップが終了すると、以降の処理の流れは、上記第２の実施形態のＳ２０３以降と同様である。なお、この場合にＳ２０８で生成、Ｓ２０９で表示される合成画像は、図９（ｃ）に示すような補正後の合成画像１３２となる。
【０１２８】
上記のように、本実施形態に係る情報処理装置１３は、上記第２の実施形態の奏する効果に加え、さらに、補正条件に基づいて人物画像を補正した画像である補正画像１３１を用いた、補正後の合成画像１３２でコーディネートを提示することができる。これにより、ユーザは、経時変化を加味したコーディネートの確認において、自身の全身画像を所持していなくとも、身体情報８１に対応する適切な体型でのコーディネートを確認することができる。
【０１２９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３０】
〔ソフトウェアによる実現例〕
最後に、情報処理装置１、１２、１３の制御部６の各ブロックは、集積回路（ＩＣチップ）上に形成された論理回路によってハードウェア的に実現してもよいし、ＣＰＵ（Central Processing Unit）を用いてソフトウェア的に実現してもよい。
【０１３１】
後者の場合、情報処理装置１、１２、１３は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである情報処理装置１、１２、１３の制御プログラムのプログラムコード（実行形式プログラム、中間コードプログラム、ソースプログラム）をコンピュータで読み取り可能に記録した記録媒体を、情報処理装置１、１２、１３に供給し、そのコンピュータ（またはＣＰＵやＭＰＵ）が記録媒体に記録されているプログラムコードを読み出し実行することによっても、達成可能である。
【０１３２】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１３３】
また、情報処理装置１、１２、１３を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３４】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【０１３５】
本発明は、店舗等に設置されている装置、特に、パソコン、タブレット端末、携帯電話、およびデジタルテレビなどの、画像表示機能を備える情報処理装置に好適に利用できる。
【符号の説明】
【０１３６】
１    情報処理装置
２    表示部
３０    服飾品画像（服飾品の画像）
３０ａ    正面図
３０ｂ    背面図
３２    切り替えボタン
５０    経時変化後の服飾品画像
６１    表示制御部（表示制御手段）
６２    入力受付部（経過時間指定手段）
６３    服飾品データ取得部（服飾品データ取得手段）
６５    服飾品経時変化処理部（服飾品経時変化処理手段）
６７    画像合成処理部（画像合成処理手段）
６８    人物経時変化処理部（人物経時変化処理手段）
６９    人物画像補正部（人物画像補正手段）
７１    経時服飾品変化情報ＤＢ（経時服飾品変化情報データベース）
７２    経時人物変化情報ＤＢ（経時人物変化情報データベース）
７３    人物体型情報ＤＢ（人物体型情報データベース）
８０    人物画像（人物の画像）
８１    身体情報
９０    合成画像
９０ｂ    経時変化後の合成画像
６６１    人物データ取得部（人物データ取得手段）
Ｓ１０１  服飾品データ取得ステップ
Ｓ１０５  服飾品経時変化処理ステップ
Ｓ１０６  表示制御ステップ
【図１】
2013200833.tif 000003
【図２】
2013200833.tif 000004
【図３】
2013200833.tif 000005
【図４】
2013200833.tif 000006
【図５】
2013200833.tif 000007
【図６】
2013200833.tif 000008
【図７】
2013200833.tif 000009
【図８】
2013200833.tif 000010
【図９】
2013200833.tif 000011